(57)【特許請求の範囲】
【請求項１】
ハウス外郭体として合成樹脂シートで成る内外二重の空気層形成フィルムにより気密な空気層空間が形成され、同空気層空間へ電動ファンにより空気を吹き込み膨張させて断熱空気層が形成される、エアハウスの空気給・排気システムであって、
内側の空気層形成フィルムは、ハウス側面の下部又は上部に相当する一方の固定端から展張した他方の固定端が排気口部の手前の一側口縁部に止着され、外側の空気層形成フィルムは同じ一方の固定端から展張した他方の固定端が前記排気口部を跨いで反対側のハウス側面の下部又は上部の位置に止着され、同止着位置で一方の固定端を止着された内側の空気層形成フィルムの他方の固定端が前記排気口部の手前の他側口縁部に止着されており、
一方の内側の空気層形成フィルムの前記排気口部と隣接する固定端の位置又はそれより内方側の位置に、内外の空気層形成フィルムの隙間及び前記排気口部を塞ぐ膨張径を有する給気用チューブが、前記排気口部の長手方向に沿って全長にわたり設置され、この給気用チューブに内外の空気層形成フィルムが形成する前記空気層空間に向かって連通する給気孔が設けられており、
前記給気用チューブの内部に向かって空気を吹き込む電動ファンが設置されており、
前記電動ファンにより給気を行い、給気用チューブを通じて空気層空間へ空気を吹き込み膨張させて断熱空気層を形成することによりエアハウス外郭体が構成され、
前記断熱空気層の空気を前記排気口部から排気させる手段として、前記電動ファンを停止させて給気用チューブを萎ませて同排気口部を開放させる構成であることを特徴とする、エアハウスの空気給・排気システム。
【請求項２】
合成樹脂シートで成る内外二重の空気層形成フィルムによる気密な空気層空間が温室内のカーテンとして形成され、同空気層空間へ電動ファンにより空気を吹き込み膨張させて断熱空気層によるエアカーテンを形成する、エアカーテンの空気給・排気システムであって、
内側及び外側の空気層形成フィルムの自由端は巻き軸に巻き込まれ、内側の空気層形成フィルムは前記自由端から展張した先の固定端が排気口部の手前の一側口縁部に止着され、外側の空気層形成フィルムの他端は前記自由端から展張して前記排気口部を跨いだ反対側の巻き軸に巻き込まれ、同巻き軸に自由端を巻き込まれた内側の空気層形成フィルムは、同自由端から展張した先の固定端が前記排気口部の手前の他側口縁部に止着されており、
一方の内側の空気層形成フィルムの前記排気口部と隣接する固定端の位置又はそれより内方側の位置に、内外の空気層形成フィルムの隙間及び前記排気口部を塞ぐ膨張径を有する給気用チューブが、前記排気口部の長手方向に沿って全長にわたり設置され、この給気用チューブに内外の空気層形成フィルムが形成する前記空気層空間に向かって連通する給気孔が設けられており、
前記給気用チューブの内部に向かって空気を吹き込む電動ファンが設置されており、
前記巻き軸を回転して空気層形成フィルムを展開するに際して、又は展開後に前記電動ファンにより給気を行い、給気用チューブを通じて空気層空間へ空気を吹き込み膨張させて断熱空気層を形成することによりエアカーテンが構成され、
前記断熱空気層の空気を前記排気口部から排気させる手段として、前記電動ファンを停止させ給気用チューブを萎ませて同排気口部を開放させる構成であることを特徴とする、エアカーテンの空気給・排気システム。
【請求項３】
排気口部の全面に防虫ネットが取り付けられていることを特徴とする、請求項１又は２に記載したエアハウス又はエアカーテンの空気給・排気システム。
【請求項４】
給気用チューブと外側の空気層形成フィルムの間に粘着防止シートが設けられていることを特徴とする、請求項１〜３のいずれか一に記載した発明に係るエアハウス又はエアカーテンの空気給・排気システム。
【発明の詳細な説明】
【技術分野】
【０００１】
この発明は、所謂ビニールハウスと通称される簡易構造の温室のハウス外郭体又は室内側カーテンとして、内外二重の空気層形成フィルムで気密な空気層空間を形成し、同空気層空間へ空気を吹き込んで膨張させることにより断熱空気層のハウス外郭体又は室内側カーテンを形成するエアハウス又はエアカーテンの空気給・排気システムの技術分野に属し、更に云えば、電動ファンで空気層空間へ空気を吹き込み膨張させ、一定層厚の断熱空気層が形成されて優れた断熱効果を期待でき、必要に応じて電動ファンの運転制御をオフ制御するエアハウス又はエアカーテンの空気給・排気システムの技術分野に属する。
【背景技術】
【０００２】
従来、野菜・花卉の栽培に利用されるエアハウスとして、合成樹脂シートで成る内外二重の空気層形成フィルムで気密な空気層空間を形成し、同空気層空間へ空気を吹き込んで同空気層空間を膨張させることにより断熱空気層を有するハウス外郭体が形成された構成（例えば下記特許文献１〜３に開示）が知られており、既に実用に供されている。
前記空気層形成フィルムで保温性を高めたエアハウスを実施すると、現状の重油を燃やす暖房費を約３０％節減できると試算されている。また、通常のビニールハウスでも屋根部分や側面部分に内張りカーテンを設置すると断熱保温の効果が上がることが知られている。更に、その内張カーテンを空気層形成フィルムで構成すると、やはり暖房費を約２０％節減できると試算されている。
【０００３】
下記特許文献１及び２に記載された発明は、ハウスフレームを構成する支柱に設置したブロワー型送風機により、配管を通じて内外二重の空気層空間内へ空気を強制的に吹き込み膨張させて断熱空気層を有するハウス外郭体を形成する構成である。
断熱空気層を有するハウス外郭体を形成できる点において優れているが、前記ブロワー型送風機は、概して大型且つ大重量であり、専用の取り付け台座を支柱等のハウスフレームに加工する必要があり、その設置作業及び交換作業が大変面倒である。また、ブロワー型送風機は、概して風圧が大きいので、ビニールシートが必要以上に膨張し、ひいては破裂する虞がある、等々の問題がある。
【０００４】
そこで、本出願人は、下記特許文献３に開示されたエアハウスを開発し特許出願をした。このエアハウスは、二重のシートの空気層空間内へ空気を強制的に吹き込む送風機として小型軽量のファン型送風機を使用し、該ファン型送風機をシートへ直接取り付けた構成である。即ち、下記特許文献１及び２に開示されたブロワー型送風機と比較して、専用の取り付け台座を不要とし、その設置作業及び交換作業の効率を向上させることができる。また風圧が小さいので、合成樹脂シートを破裂させる虞がない、等々の多くの利点を有する。
【先行技術文献】
【特許文献】
【０００５】
【特許文献１】特開平７−２５５２９１号公報
【特許文献２】特開平１０−２８４８４号公報
【特許文献３】特開２００４−３３０６５号公報
【発明の概要】
【発明が解決しようとする課題】
【０００６】
しかし、上記特許文献３に開示されたエアハウスには、ファン型送風機で吹き込まれた空気によって膨んだ断熱空気層の空気を効果的に排気する手段について何ら記載がない。
【０００７】
そこで、本発明の目的は、温室のハウス外郭体又はエアカーテンを内外二重の空気層形成フィルムで気密な断熱空気層構造とする場合に、小型の電動ファンで空気層空間へ空気を吹き込み膨張させて一定層厚の断熱空気層を形成し、優れた断熱効果を期待でき、必要に応じて電動ファンをオフ制御して断熱空気層Ａ内の空気を効率良く排気させることができ、使い勝手に優れた、エアハウス又はエアカーテンの空気給・排気システムを提供することである。
【課題を解決するための手段】
【０００８】
上記の課題を解決するための手段として、請求項１に記載した発明に係るエアハウスの空気給・排気システムは、
ハウス外郭体として合成樹脂シートで成る内外二重の空気層形成フィルムにより気密な空気層空間が形成され、同空気層空間へ電動ファンにより空気を吹き込み膨張させて断熱空気層が形成される、エアハウスの空気給・排気システムであって、
内側の空気層形成フィルムは、ハウス側面の下部又は上部に相当する一方の固定端から展張した他方の固定端が排気口部の手前の一側口縁部に止着され、外側の空気層形成フィルムは同じ一方の固定端から展張した他方の固定端が前記排気口部を跨いで反対側のハウス側面の下部又は上部の位置に止着され、同止着位置で一方の固定端を止着された内側の空気層形成フィルムの他方の固定端が前記排気口部の手前の他側口縁部に止着されており、
一方の内側の空気層形成フィルムの前記排気口部と隣接する固定端の位置又はそれより内方側の位置に、内外の空気層形成フィルムの隙間及び前記排気口部を塞ぐ膨張径を有する給気用チューブが、前記排気口部の長手方向に沿って全長にわたり設置され、この給気用チューブに内外の空気層形成フィルムが形成する前記空気層空間に向かって連通する給気孔が設けられており、
前記給気用チューブの内部に向かって空気を吹き込む電動ファンが設置されており、
前記電動ファンにより給気を行い、給気用チューブを通じて空気層空間へ空気を吹き込み膨張させて断熱空気層を形成することによりエアハウス外郭体が構成され、
前記断熱空気層の空気を前記排気口部から排気させる手段として、前記電動ファンを停止させて給気用チューブを萎ませて同排気口部を開放させる構成であることを特徴とする。
【０００９】
請求項２に記載した発明に係るエアカーテンの空気給・排気システムは、
合成樹脂シートで成る内外二重の空気層形成フィルムによる気密な空気層空間が温室内のカーテンとして形成され、同空気層空間へ電動ファンにより空気を吹き込み膨張させて断熱空気層によるエアカーテンを形成する、エアカーテンの空気給・排気システムであって、
内側及び外側の空気層形成フィルムの自由端は巻き軸に巻き込まれ、内側の空気層形成フィルムは前記自由端から展張した先の固定端が排気口部の手前の一側口縁部に止着され、外側の空気層形成フィルムの他端は前記自由端から展張して前記排気口部を跨いだ反対側の巻き軸に巻き込まれ、同巻き軸に自由端を巻き込まれた内側の空気層形成フィルムは、同自由端から展張した先の固定端が排気口部の手前の他側口縁部に止着されており、
一方の内側の空気層形成フィルムの前記排気口部と隣接する固定端の位置又はそれより内方側の位置に、内外の空気層形成フィルムの隙間及び前記排気口部を塞ぐ膨張径を有する給気用チューブが、前記排気口部の長手方向に沿って全長にわたり設置され、この給気用チューブに内外の空気層形成フィルムが形成する前記空気層空間に向かって連通する給気孔が設けられており、
前記給気用チューブの内部に向かって空気を吹き込む電動ファンが設置されており、
前記巻き軸を回転して空気層形成フィルムを展開するに際して、又は展開後に前記電動ファンにより給気を行い、給気用チューブを通じて空気層空間へ空気を吹き込み膨張させて断熱空気層を形成することによりエアカーテンが構成され、
前記断熱空気層の空気を前記排気口部から排気させる手段として、前記電動ファンを停止させ給気用チューブを萎ませて同排気口部を開放させる構成であることを特徴とする。
【００１０】
請求項３に記載した発明は、請求項１又は２に記載したエアハウス又はエアカーテンの空気給・排気システムにおいて、
排気口部の全面に防虫ネットが取り付けられていることを特徴とする。
【００１１】
請求項４に記載した発明は、請求項１〜３のいずれか一に記載したエアハウス又はエアカーテンの空気給・排気システムにおいて、
給気用チューブと外側の空気層形成フィルムの間に粘着防止シートが設けられていることを特徴とする。
【発明の効果】
【００１２】
本発明の空気給・排気システムを採用したエアハウス又はエアカーテンは、内側及び外側の空気層形成フィルム２０（２１）、３０が形成した空気層空間Ａへ小型の電動ファン５による給気を行って同空気層空間Ａを膨らませ一定層厚の断熱空気層が形成されて優れた断熱効果を発揮することができる。また、必要に応じて電動ファンの運転制御５をオフ制御することにより、断熱空気層Ａ内の空気を排気口部Ｂから効率良く排気することができる。
【図面の簡単な説明】
【００１３】
【図１】エアハウス全体を概念的に示した正面図である。
【図２】空気層空間へ空気を吹き込みエアハウス外郭体を形成した状態を示したエアハウスの屋根部分の拡大図である。
【図３】エアハウスの給気用チューブが萎んで排気口部が開放されら状態を示したエアハウスの屋根部分の拡大である。
【図４】（Ａ）、（Ｂ）は防虫ネットの取付け例を示した説明図である。
【図５】電動ファンの設置例を示した拡大図である。
【図６】（Ａ）、（Ｂ）は給気用チューブの止着例を示した説明図である。
【図７】エアカーテンを形成したハウス全体を概念的示した正面図である。
【発明を実施するための形態】
【００１４】
本発明に係るエアハウスの空気給・排気システムは、内側の空気層形成フィルム２０は、ハウス１側面の下部又は上部に相当する一方の固定端２０ａから展張した他方の固定端２０ｂが排気口部Ｂの手前の一側口縁部に止着され、外側の空気層形成フィルム３０は同じ一方の固定端３０ａから展張した他方の固定端３０ｂが排気口部Ｂを跨いで反対側のハウス１側面の下部又は上部の位置に止着され、同止着位置で一方の固定端２１ａを止着された内側の空気層形成フィルム２１の他方の固定端２１ｂが排気口部Ｂの手前の他側口縁部に止着されている。
一方の内側の空気層形成フィルム２１の排気口部Ｂと隣接する固定端２１ｂの位置又はそれより内方側の位置に、内外の空気層形成フィルム２０（２１）、３０の隙間及び排気口部Ｂを塞ぐ膨張径を有する給気用チューブ６が、排気口部Ｂの長手方向に沿って全長にわたり設置され、この給気用チューブ６に内外の空気層形成フィルム２０（２１）、３０が形成する空気層空間Ａに向かって連通する給気孔６ａが設けられている。給気用チューブ６の内部に向かって空気を吹き込む電動ファン５が設置されている。
電動ファン５により給気を行い、給気用チューブ６を通じて空気層空間Ａへ空気を吹き込み膨張させて断熱空気層Ａを形成することによりエアハウス外郭体１０が構成され、断熱空気層Ａの空気を排気口部Ｂから排気させる手段として、電動ファン５を停止させて給気用チューブ６を萎ませて同排気口部Ｂを開放させる構成である。
【００１５】
本発明に係るエアカーテンの空気給・排気システムは、内側及び外側の空気層形成フィルム２０、３０の自由端は巻き軸９０に巻き込まれ、内側の空気層形成フィルム２０は自由端から展張した先の固定端２０ｂが排気口部Ｂの手前の一側口縁部に止着され、外側の空気層形成フィルム３０の他端は自由端から展張して排気口部Ｂを跨いだ反対側の巻き軸に巻き込まれ、同巻き軸９１に自由端を巻き込まれた内側の空気層形成フィルム２１は、同自由端から展張した先の固定端２１ｂが排気口部Ｂの手前の他側口縁部に止着されている。
一方の内側の空気層形成フィルム２１の排気口部Ｂと隣接する固定端の位置又はそれより内方側の位置に、内外の空気層形成フィルムの隙間及び排気口部Ｂを塞ぐ膨張径を有する給気用チューブ６が、排気口部Ｂの長手方向に沿って全長にわたり設置され、この給気用チューブ６に内外の空気層形成フィルムが形成する空気層空間Ａに向かって連通する給気孔が設けられている。給気用チューブ６の内部に向かって空気を吹き込む電動ファン５が設置されている。
巻き軸９０、９１を回転して空気層形成フィルム２０、２１、３０を展開するに際して、又は展開後に電動ファン５により給気を行い、給気用チューブ６を通じて空気層空間Ａへ空気を吹き込み膨張させて断熱空気層Ａを形成することによりエアカーテンが構成され、断熱空気層Ａの空気を排気口部Ｂから排気させる手段として、電動ファン５を停止させ給気用チューブ６を萎ませて同排気口部Ｂを開放させる構成である。
【実施例１】
【００１６】
以下に、本発明に係るエアハウスの空気給・排気システムを図示した実施例に基づいて説明する。
図１は、ハウス外郭体１０として合成樹脂シートで成る内側の空気層形成フィルム２０、２１と外側の空気層形成フィルム３０とで気密な空気層空間Ａ、Ａを形成し、同空気層空間Ａへ電動ファン５により空気を吹き込み膨張させることにより断熱空気層Ａが形成されたエアハウス１の全体図を示している。このエアハウス１のフレームを構成するアーチパイプ１１や、同アーチパイプへ連結する棟方向へ配置したシート止着具４…等々は、格別新規なものではなく、従来一般のエアハウスに実施するフレーム資材とほぼ同じ構成である。
【００１７】
図１に示す内側の空気層形成フィルム２０は、ハウス１側面の下部に相当する位置に設置されたシート止着具４０により一方の固定端２０ａが止着され、同固定端２０ａからハウス１の屋根部分まで展張した他方の固定端２０ｂが、同ハウス１の屋根部分に形成された一定幅Ｒの排気口部Ｂの手前の一側口縁部に設置されたシート止着具４１により止着されている。
外側の空気層形成フィルム３０は、前記内側の空気層形成フィルム２０の一方の固定端２０ａを止着するシート止着具４０により共通に止着された固定端３０ａから展張された他方の固定端３０ｂが前記排気口部Ｂを跨いだ反対側のハウス１側面の下部の位置に設置されたシート止着具４２により止着されている。
そして、前記外側の空気層形成フィルム３０の他方の固定端３０ｂを止着するシート止着具４２に一方の固定端２１ａが止着された内側の空気層形成フィルム２１の他方の固定端２１ｂが、前記排気口部Ｂの手前の他側口縁部に設置されたシート止着具４３に止着されている。
前記排気口部Ｂは、断熱空気層Ａへ送り込まれた空気を十分に排気できる開口幅Ｒとして、例えば５〜１０ｃｍ程度の幅寸で構成することが好ましい。
なお、前記排気口部Ｂの全面には、図４に詳示したように、ハウス１内の虫が断熱空気層Ａへ進入することを防止する虫除けネット１７が、左右の内側の空気層形成フィルム２０、２１の固定端２０ｂ、２１ｂを止着するシート止着具４１、４３に止着されて取り付けられている。因みに、前記虫除けネット１７の材質は、一例として繊維性又は樹脂性である。
また、図示した実施例では、内側の空気層形成フィルム２０、２１の一方の固定端２０ａ、２１ａ、及び外側の空気層形成フィルム３０の両固定端３０ａ、３０ｂは、ハウス１側面の下部に相当する位置に止着された構成を示したが、この限りではなく、ハウス１側面の上部に相当する位置、具体的にはハウス１の肩部に止着された構成で実施することもできる。
【００１８】
前記内外の空気層形成フィルム２０（２１）、３０を止着する手段は、エアハウス１の長手方向に沿ってアーチパイプ１１に取り付けられた複数のシート止着具４（４０〜４３）により行われる。このシート止着具４（４０〜４３）は、当業技術分野では既に周知の技術である。具体的には、横断面方向に見ると底壁の両側に立ち上がる両側壁を内方へ略ハの字形状に傾斜させて開口が狭幅のシート止着溝が形成された構成である。前記シート止着溝の排気口部上にフィルムを拡げ、その上から波形状をなす弾性なシート止め線材４ａをシート止着溝の中へ押し入れて止着するものである。  
なお、左右の内側の空気層形成フィルムの他方の固定端２０ｂ、２１ｂを止着するシート止着具４１、４３は、ダブル型シート止着具４４を使用した構成で実施することもできる。このダブル型シート止着具４４は、２本のシート止着具を連結片４４ａにより連結した構成であり、当業技術分野では既に周知の技術である（例えば意匠登録第１０９５３３９号や意匠登録第１３４０３１２号に開示）。前記ダブル型シート止着具４０の前記連結片４４ａには、排気口部として複数の排気口孔４４ｂ…が長手方向に形成されている。
【００１９】
因みに、前記内外の空気層形成フィルム２０（２１）、３０を構成する合成樹脂シートは、耐用性に優れているポリオレフィン系シートやフッ素系シートを使用することが好ましい。外側の空気層形成フィルム３０の厚みは、０．１〜０．１５ｍｍ程度とされ、内側の空気層形成フィルム２０、２１の厚みは０．１ｍｍ程度とされている。なお、後述するカーテンの場合には、内外の空気層形成フィルムは、０．０５〜０．０７５ｍｍ程度とされている。
【００２０】
図１〜図３に示すように、一方の内側の空気層形成フィルム２１の上記排気口部Ｂと隣接する固定端２１ｂの位置又はそれより内方側の位置に、内外の空気層形成フィルム（２０、２１）と３０の隙間及び排気口部Ｂを塞ぐ膨張径を有する給気用チューブ６が、内側の空気層形成フィルム２１の固定端２１ｂと共にシート止着具４３で止着され、前記排気口部Ｂの長手方向に沿って全長にわたり設置されている。
なお、前記給気用チューブ６は、他方の内側の空気層形成フィルム２０の排気口部Ｂと隣接する固定端２０ｂの位置又はそれより内方側の位置に設置した構成で実施することもできる。
【００２１】
前記給気用チューブ６をシート止着具４３で止着させるには、給気用チューブ６の外面に軟質フィルムを溶着し、該軟質フィルムを内側の空気層形成フィルム２１と共にシート止着具４３のシート止着溝の開口部上に拡げ、シート止め線材４ａをシート止着溝の中へ押し入れて止着する。
その他の方法として、図６（Ｂ）に示すように、給気用チューブ６の排気口部Ｂ側の端部を内側の空気層形成フィルム２１と共にシート止着具４３のシート止着溝の開口部上へ拡げ、シート止め線材４ａをシート止着溝の中へ押し入れて止着する。このとき、図６（Ａ）に示すように、給気用チューブ６の外面に、シート止着具４１（４３）の口縁部へ合わせるライン１８と電動ファン５を設置するためのライン１９を、ハウス１の長手方向に沿って印刷等で付することより、同給気用チューブ６を設置するときに捻れる等の不都合を解消して作業性を高めることが好ましい。
なお、上記給気用チューブ６と外側の空気層形成フィルム３０とが、水滴により粘着する場合には、給気用チューブ６と外側の空気層形成フィルム３０の間に粘着防止シートを設けることが好ましい。具体的には、図４（Ａ）、（Ｂ）に示すように、排気口部Ｂの全面に設けた虫除けネット１７を給気用チューブ６を越えて断熱空気層Ａに向かって延ばし、同虫よけネット１７を給気用チューブ６へ貼り付けることにより、表面張力の発生を抑制して粘着（密着）を予防できる。
前記給気用チューブ６は、柔軟性のある合成樹脂性又はゴムシート等であり、上記断熱空気層Ａへ向かって連通する直径約６ｍｍの給気孔６ａ…が上下方向に約３０ｍｍの間隔をあけて２個設けられ、ハウスの長手方向においては例えば５００ｍｍの間隔をあけて設けられている。但し、前記給気孔６ａ…は、給気チューブ６が膨張して内外の空気層形成フィルム２１、３０と密着し、且つ空気を空気層空間Ａへ吹き込むことが可能な形状と大きさであれば良く、前記寸法及び個数に限定されない。
【００２２】
上記給気用チューブ５には、エアハウス１の室内側から前記給気用チューブ６に向って空気を吹き込む小型軽量の電動ファン５が直接取り付けられ、前記電動ファン５の空気吹き出し口が前記給気用チューブ６に向って直接開口されている。
因みに、図５は前記電動ファン５を内側の空気層形成フィルム２１と給気用チューブ６とを挟んで取り付ける場合の構成を示している。小型の電動ファン５を内側の空気層形成フィルム２１の内側面にあてがい、同給気用チューブ６の内側面に当てがわれた押さえ縁５０とで同フィルム２１と給気用チューブ６をサンドイッチ状に挟み、ボルト接合して取り付けられている。前記電動ファン５を取り付ける箇所は、空気の出入りが可能な大きさと形状に開口されている。
前記電動ファン５は、一例として出力２５Ｗ程度のものであり、給気用チューブ６の長手方向（約３０ｍ程度）に１個設置され、１０分程度の作動でエアハウス外郭体１０を形成することができる。ただし、前記電動ファン５は、給気用チューブ６の長手方向（約３０ｍ程度）に複数個設置して、より素早く空気層空間Ａへ空気を吹き込みエアハウス外郭体１０を形成する構成で実施することもできる。
【００２３】
次に、上記電動ファン５により、上記空気層空間Ａ、Ａへ空気を吹き込み、断熱空気層Ａ、Ａを有するエアハウス外郭体１０を形成する手順について説明する。
先ず、空気層空間Ａ、Ａへ空気を給気させる手順であるが、電動ファン５をスイッチオンして給気を行い、図１及び図２に示すように、左右の空気層空間Ａ、Ａを膨らませる。前記電動ファン５から空気が前記給気用チューブ６へ吹き込まれて、給気用チューブ６が萎んだ状態から、先ずはこの給気用チューブ６を膨らませて、同給気用チューブ６で排気口部Ｂを閉止する。続いて、空気は前記給気用チューブ６の給気孔６ａから抜け出て、空気層空間Ａ内へ順次に効率よく吹き込まれる。
こうして、膨張した前記給気用チューブ６は、内外の空気層形成フィルム２０（２１）、３０へ密接し、更に排気口部Ｂを完全に塞いだ状態になるから、空気が内外の空気層形成フィルム２０（２１）、３０の外部へ漏れることがなく、断熱空気層Ａを有するエアハウス外郭体１０を形成することができる。
【００２４】
空気層空間Ａ内へ空気を吹き込む際に、例えば作業員により断熱空気層Ａの膨らみ厚に応じて断続的に電動ファン５を作動させて同空気層空間Ａ内へ空気を吹き込む構成で実施する。或いは断熱空気層Ａの膨らみ厚を設定値になるように自動調整する検出手段としての電動スイッチ機構と、同電動スイッチ機構を使用して作動させる電気スイッチ機構とからなる電気スイッチ機構を設置して、同電気スイッチ機構により前記膨らみ厚を調整しながら空気を吹き込む構成で実施することもできる。
【００２５】
断熱空気層Ａから空気を抜く排気手順としては、図３に示すように、電動ファン５のスイッチをオフにして電動ファン５を停止させ、給気用チューブ６を萎ませる。すると、給気用チューブ６と内外の空気層形成フィルム２０（２１）、３０との密接状態が解除されると共に、排気口部Ｂが大きく開放されるので、空気は排気口部Ｂから一気に大量に放出可能である。
【００２６】
なお、強風や冬期における積雪によりエアハウス１の屋根部分のフィルムが集中的に又は局所的に圧迫されて空気層形成フィルム２０（２１）、３０が垂れ下がるおそれがある場合には、電動ファン５により継続して給気を行い、断熱空気層Ａの内圧を高める。すると、エアハウス外郭体１０は大きくピンっと張った状態となり、エアハウス１の屋根部分の積雪を地面に向って振るい落とすことができるし、強風に耐えうる強度に形成することができる。
【実施例２】
【００２７】
次に、請求項２に記載した発明に係るエアカーテンの空気給・排気システムを説明する。なお、上述した実施例１のエアハウスの空気給・排気システムと重複する内容についての説明は省略する。
エアカーテンの空気給・排気システムは、図７に示すように、主に断熱、保温効果を目的として温室１３の内部のフレーム１７と、同温室１３の側面部のそれぞれに沿って空気層形成フィルムを上下方向のカーテン状に展張し又は同フィルムを収納するカーテンシステム１５において、断熱空気層Ａによるカーテンを形成し、回転伝達装置で回転する巻き軸９０、９１でカーテンを巻き上げて収納し、又は巻き下ろして展張する場合の空気給・排気システムである。
前記換気口を開閉させるべく、巻き軸９０、９１の巻き上げ又は巻き下ろし手段に用いる回転伝達装置は、例えば特開２００７−９２９７３号公報や特開２００５−２２１０７２号公報等に開示されて既に実用に供されている。図７に示す実施例では、前記回転伝達装置の記載を省略し、内外の空気層形成フィルム２０（２１）、３０を巻き付ける巻き軸９０、９１のみを記載している。
【００２８】
内側及び外側の空気層形成フィルム２０、３０の自由端は、温室１３の側面の下部に相当する位置で巻き軸９０に巻き込まれ、前記内側の空気層形成フィルム２０は、前記自由端から展張した先の固定端２０ｂが、排気口部Ｂの手前の一側口縁部に設置されたシート止着具４１により止着されている。
外側の空気層形成フィルム３０は、前記自由端から展張して前記排気口部Ｂを跨いだ反対側の温室１３の側面の下部に相当する位置で巻き軸９１に巻き込まれている。
そして、前記巻き軸９１に自由端を巻き込まれた内側の空気層形成フィルム２１は、同自由端から展張した先の固定端２１ｂが前記排気口部Ｂの手前の他側口縁部に設置されたシート止着具４３により止着されている。
なお、上記内外の空気層形成フィルム２０（２１）、３０の自由端は、温室１３の側面の上部（肩部）に相当する位置で巻き軸９０（９１）に巻き込まれた構成で実施することもできる。
【００２９】
即ち、内外の空気層形成フィルム２０（２１）、３０の自由端側は、回転伝達装置で正逆方向へ回転される巻き軸９０、９１に巻き付けられ、回転伝達装置の手動ハンドルを一方へ回転させると、巻き軸９０、９１により内外の空気層形成フィルム２０（２１）、３０が自由端側から巻き上げられて換気口が形成される。手動ハンドルを逆方向へ回転させると巻き軸９０、９１で内外の空気層形成フィルム２０（２１）、３０を巻き戻し、前記内外の空気層形成フィルム２０（２１）、３０は展張されて換気口を閉じることができる構成である。
なお、図７において詳示することは省略したが、前記排気口部Ｂの全面には、虫除けネットが、シート止着具４１（４３）に止着されて取り付けられている。
【００３０】
上記内外の空気層形成フィルム２０（２１）、３０の自由端は、温室１３の側面の下部に相当する位置まで展張して巻き軸９０（９１）に巻き込まれた構成で実施することもできる。
【００３１】
上記一方の内側の空気層形成フィルム２１の排気口部Ｂと隣接する固定端２１ｂの位置又はそれより内方側の位置に、同内外の空気層形成フィルム２０（２１）、３０の隙間及び排気口部Ｂを塞ぐ膨張径を有する給気用チューブ６が、前記排気口部Ｂの長手方向に沿って全長にわたり設置され、この給気用チューブ６において上記空気層空間Ａに向って連通する複数の給気孔６ａ…が設けられている（詳しくは図２を参照）。
そして、給気用チューブ６の内部に向かって空気を吹き込む電動ファン５が、給気用チューブ６に取り付けられている。
【００３２】
次に、上記空気層空間Ａへ空気を給・排気させる手順を説明する。
先ず、空気層空間Ａへ空気を給気させる手順であるが、回転伝達装置のハンドルを回転させることにより巻き軸９０（９１）を巻き戻して内外の空気層形成フィルム２０（２１）、３０を展開する際（途中）、又は展開した際（展開後）に、前記電動ファン５をスイッチオンして給気を行い空気層空間Ａを膨らませる。電動ファン５から給気用チューブ６へ吹き込まれて、先ずはこの給気用チューブ６を膨らませて、排気口部Ｂを閉止する。続いて、空気は前記給気用チューブ６の給気孔６ａから抜け出て、空気層空間Ａ内へ順次に効率よく吹き込まれる。こうして、膨張した給気用チューブ６は、内外の空気層形成フィルム２０（２１）、３０へ密接し、更に排気口部Ｂを完全に塞いだ状態になるから、空気が空気層空間Ａの外部へ漏れることがなく、空気層形成フィルム２０（２１）、３０は断熱空気層Ａを形成することができる。
【００３３】
次に、断熱空気層Ａへ空気を排気させる手順であるが、先ず、スイッチをオフにして電動ファン５を停止させ、給気用チューブ６を萎ませる。すると、給気用チューブ６と、内外のフィルム２０（２１）、３０との密接状態が解除され排気口部Ｂが開放されるので、空気は排気口部Ｂから一気に大量に放出可能である。よって、上記回転伝達装置のハンドルを回転させて巻き軸９０（９１）で内外の空気層形成フィルム２０（２１）、３０を巻き取る際の巻き軸９０（９１）による前記内外の空気層形成フィルム２０（２１）、３０の巻き上げ速度（空気層形成フィルム２の絞り効果）に負けない早さで断熱空気層Ａ内の空気を一気に排出できるし、前記内外の空気層形成フィルム２０（２１）、３１の巻き上げる際に巻き軸９０（９１）が空気圧で浮き上がる不都合もなく、作業性に優れている。
【００３４】
以上に本発明を図示した実施例に基づいて説明したが、もとより本発明は実施例の構成に限定されるものではない。いわゆる当業者が必要に応じて行うであろう設計変更その他の応用、改変の範囲まで含むことを念のため申し添える。
【符号の説明】
【００３５】
１          エアハウス
１０        ハウス外郭体
１３        温室
１５        カーテンシステム
１７        虫除けネット
２０〜２２  内側の空気層形成フィルム
３０、３１  外側の空気層形成フィルム
４（４０〜４３）  シート止着具
５          電動ファン
６          給気用チューブ
９０、９１  巻き軸
Ａ          断熱空気層（空気層空間）
Ｂ          排気口部
【図１】
0005882511.tif 000002
【図２】
0005882511.tif 000003
【図３】
0005882511.tif 000004
【図４】
0005882511.tif 000005
【図５】
0005882511.tif 000006
【図６】
0005882511.tif 000007
【図７】
0005882511.tif 000008